【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
入力画像信号のフレーム画像に基づく第１画像内の複数の所定位置の画素値を増加させる増加手段と、
前記フレーム画像に基づく第２画像内の前記複数の所定位置の画素値を減少させる減少手段と、
前記フレーム画像に基づくＮ個（Ｎ＞１）のフレーム画像であって、前記増加手段により前記複数の所定位置の画素値が増加させられた前記第１画像と前記減少手段により前記複数の所定位置の画素値が減少させられた前記第２画像とを含むＮ個のフレーム画像が、前記入力画像信号に応じたフレーム周波数のＮ倍のフレーム周波数で投影されるように、投影手段を制御する投影制御手段と、
前記投影手段により投影される画像の調整のためのパラメータを、前記投影制御手段による制御に応じて画像が投影されている投影面が撮像されることで得られる撮像画像に基づいて決定する決定手段と、
前記投影手段により前記投影面に投影される画像を前記決定手段により決定されるパラメータに基づいて調整する調整手段とを有することを特徴とする表示制御装置。
【請求項２】
前記投影制御手段は、前記増加手段により前記複数の所定位置の画素値が増加させられた前記第１画像と前記減少手段により前記複数の所定位置の画素値が減少させられた前記第２画像とが連続して投影されるように、前記投影手段を制御することを特徴とする請求項１に記載の表示制御装置。
【請求項３】
前記増加手段により前記複数の所定位置の画素値が増加させられる前の前記第１画像と、前記減少手段により前記複数の所定位置の画素値が減少させられる前の前記第２画像とは、同一の画像であることを特徴とする請求項１又は２に記載の表示制御装置。
【請求項４】
前記増加手段は、前記Ｎ個のフレーム画像に含まれる１以上の画像のそれぞれにおける前記複数の所定位置の画素値を増加させ、
前記減少手段は、前記Ｎ個のフレーム画像に含まれる１以上の画像のそれぞれにおける前記複数の所定位置の画素値を減少させ、
前記増加手段により前記複数の所定位置の画素値が増加させられる画像の数は、前記減少手段により前記複数の所定位置の画素値が減少させられる画像の数と等しいことを特徴とする請求項１乃至３の何れか１項に記載の表示制御装置。
【請求項５】
前記撮像画像内の複数の位置であって前記複数の所定位置に対応する複数の位置を特定する特定手段を有し、
前記決定手段は、前記特定手段による前記撮像画像内の前記複数の位置の特定結果に基づいて前記パラメータを決定することを特徴とする請求項１乃至４の何れか１項に記載の表示制御装置。
【請求項６】
前記特定手段は、前記第１画像に応じた画像が投影されている前記投影面が撮像されることで得られる第１撮像画像と、前記第２画像に応じた画像が投影されている前記投影面が撮像されることで得られる第２撮像画像との差に基づいて、前記複数の位置を特定することを特徴とする請求項５に記載の表示制御装置。
【請求項７】
前記複数の所定位置は座標情報を符号化することにより設定されることを特徴とする請求項１乃至６の何れか１項に記載の表示制御装置。 
【請求項８】
前記増加手段により増加させられる画素値の増加量及び前記減少手段により減少させられる画素値の減少量は、前記投影手段の特性に基づいて決まることを特徴とする請求項１乃至７の何れか１項に記載の表示制御装置。
【請求項９】
前記増加手段は、前記第１画像における前記複数の所定位置に含まれる特定位置の画素値が第１閾値を上回る第１の場合には、前記第１画像における前記特定位置の画素値が前記第１閾値を下回る第２の場合よりも、前記第１画像における前記特定位置の画素値の増加量が小さくなるように画素値の増加量を決定し、
前記減少手段は、前記第１の場合には前記第２の場合よりも前記第２画像における前記特定位置の画素値の減少量が小さくなるように画素値の減少量を決定することを特徴とする請求項１乃至８の何れか１項に記載の表示制御装置。
【請求項１０】
前記減少手段は、前記第２画像における前記複数の所定位置に含まれる特定位置の画素値が第２閾値を下回る第３の場合には、前記第２画像における前記特定位置の画素値が前記第２閾値を上回る第４の場合よりも、前記第２画像における前記特定位置の画素値の減少量が小さくなるように画素値の減少量を決定し、
前記増加手段は、前記第３の場合には前記第４の場合よりも前記第１画像における前記特定位置の画素値の増加量が小さくなるように画素値の増加量を決定することを特徴とする請求項１乃至９の何れか１項に記載の表示制御装置。
【請求項１１】
前記決定手段は、前記投影制御手段による制御に応じて画像が投影されている前記投影面が撮像された撮影画像を、前記表示制御装置と通信可能な撮像手段から取得し、当該取得した撮像画像に基づいて前記パラメータを決定することを特徴とする請求項１乃至１０の何れか１項に記載の表示制御装置。
【請求項１２】
前記投影手段は、前記表示制御装置と通信可能なプロジェクタであることを特徴とする請求項１乃至１１の何れか１項に記載の表示制御装置。
【請求項１３】
前記調整手段は、前記決定手段により決定されるパラメータを前記投影手段に出力することで、前記投影手段により前記投影面に投影される画像を調整することを特徴とする請求項１２に記載の表示制御装置。
【請求項１４】
前記投影面を撮像する撮像手段と、
前記投影制御手段による制御に応じて画像を投影する前記投影手段とを有し、
前記決定手段は、前記投影制御手段による制御に応じて画像が投影されている前記投影面が前記撮像手段により撮像されることで得られる撮像画像に基づいて前記パラメータを決定することを特徴とする請求項１乃至１０の何れか１項に記載の表示制御装置。
【請求項１５】
表示システムにより実行される表示制御方法であって、
入力画像信号のフレーム画像に基づく第１画像内の複数の所定位置の画素値を増加させる増加工程と、
前記フレーム画像に基づく第２画像内の前記複数の所定位置の画素値を減少させる減少工程と、
前記フレーム画像に基づくＮ個（Ｎ＞１）のフレーム画像であって、前記増加工程において前記複数の所定位置の画素値が増加させられた前記第１画像と前記減少工程において前記複数の所定位置の画素値が減少させられた前記第２画像とを含むＮ個のフレーム画像が、前記入力画像信号に応じたフレーム周波数のＮ倍のフレーム周波数で投影されるように、投影手段を制御する投影制御工程と、
前記投影手段により投影される画像の調整のためのパラメータを、前記投影制御工程における制御に応じて画像が投影されている投影面が撮像されることで得られる撮像画像に基づいて決定する決定工程と、
前記投影手段により前記投影面に投影される画像を前記決定工程において決定されるパラメータに基づいて調整する調整工程とを有することを特徴とする表示制御方法。
【請求項１６】
前記投影制御工程においては、前記増加工程において前記複数の所定位置の画素値が増加させられた前記第１画像と前記減少工程において前記複数の所定位置の画素値が減少させられた前記第２画像とが連続して投影されるように、前記投影手段が制御されることを特徴とする請求項１５に記載の表示制御方法。
【請求項１７】
前記増加工程において前記複数の所定位置の画素値が増加させられる前の前記第１画像と、前記減少工程において前記複数の所定位置の画素値が減少させられる前の前記第２画像とは、同一の画像であることを特徴とする請求項１５又は１６に記載の表示制御方法。
【請求項１８】
コンピュータを、請求項１乃至１４の何れか１項に記載の表示制御装置の各手段として機能させるためのコンピュータプログラム。
【手続補正２】
【補正対象書類名】明細書
【補正対象項目名】発明の名称
【補正方法】変更
【補正の内容】
【発明の名称】表示制御装置、表示制御方法、及びコンピュータプログラム
【手続補正３】
【補正対象書類名】明細書
【補正対象項目名】０００７
【補正方法】変更
【補正の内容】
【０００７】
上記目的を達成するため、本発明による表示制御装置は以下の構成を備える。すなわち、入力画像信号のフレーム画像に基づく第１画像内の複数の所定位置の画素値を増加させる増加手段と、前記フレーム画像に基づく第２画像内の前記複数の所定位置の画素値を減少させる減少手段と、前記フレーム画像に基づくＮ個（Ｎ＞１）のフレーム画像であって、前記増加手段により前記複数の所定位置の画素値が増加させられた前記第１画像と前記減少手段により前記複数の所定位置の画素値が減少させられた前記第２画像とを含むＮ個のフレーム画像が、前記入力画像信号に応じたフレーム周波数のＮ倍のフレーム周波数で投影されるように、投影手段を制御する投影制御手段と、前記投影手段により投影される画像の調整のためのパラメータを、前記投影制御手段による制御に応じて画像が投影されている投影面が撮像されることで得られる撮像画像に基づいて決定する決定手段と、前記投影手段により前記投影面に投影される画像を前記決定手段により決定されるパラメータに基づいて調整する調整手段とを有する。